(57)【要約】【課題】  構成を簡素化し、量子化処理における低消費電力化を図ることのできる画像符号化装置を得る。【解決手段】  結果予測部２は、ＤＣＴ係数に対して量子化パラメータに基づく所定の判定を行い、量子化演算部４の出力がゼロ係数になるかを予測する。クロック制御部３ａは、結果予測部２の予測結果がゼロ係数であった場合、量子化演算部４に供給するクロックの周波数を低下させる。また、量子化出力選択部５は、結果予測部２でゼロ係数の予測結果が出た場合は、量子化演算部４の出力としてゼロ係数を出力する。【選択図】        図１
2006014207.tif 000002
【特許請求の範囲】
【請求項１】
画像の直交変換データを入力し、当該直交変換データの値を量子化する量子化演算部と、
前記直交変換データに対し、前記量子化を行うための量子化パラメータに基づいて所定の判定を行い、前記量子化演算部の出力がゼロ係数になるかを予測する結果予測部と、
前記結果予測部でゼロ係数となると予測された場合は、前記量子化演算部に供給するクロックの周波数を低下させるクロック制御部と、
前記量子化演算部の出力を選択して出力すると共に、前記結果予測部でゼロ係数になると予測された場合は、前記量子化演算部の出力をゼロ係数として出力する量子化出力選択部を備えた画像符号化装置。
【請求項２】
量子化演算部の出力を受けて、逆量子化演算を行う逆量子化演算部と、
結果予測部でゼロ係数になると予測された場合は、前記逆量子化演算部に供給するクロックの周波数を低下させるクロック制御部と、
前記逆量子化演算部の逆量子化結果を出力すると共に、前記結果予測部でゼロ係数になると予測された場合は、前記逆量子化結果としてゼロ係数を出力する逆量子化出力選択部とを備えた請求項１記載の画像符号化装置。
【請求項３】
直交変換データがゼロ係数か否かを判定するゼロ判定部を備え、
クロック制御部は、前記ゼロ判定部がゼロ係数判定した場合は、クロックの周波数を低下させることを特徴とする請求項１または請求項２記載の画像符号化装置。
【請求項４】
量子化演算部の出力を受けて、逆量子化演算を行う逆量子化演算部と、
前記量子化演算部の出力がゼロ係数の場合は、前記逆量子化演算部に供給するクロックの周波数を低下させる逆量子化クロック制御部とを備えた請求項１記載の画像符号化装置。
【請求項５】
量子化演算部が出力する量子化変換係数を保持する量子化変換係数保持部と、
量子化演算部の出力を受けて、逆量子化演算を行う逆量子化演算部と、
前記量子化変換係数保持部に保持された量子化変換係数がゼロの場合は、前記逆量子化演算部に供給するクロックの周波数を低下させるクロック制御部とを備えた請求項１記載の画像符号化装置。
【請求項６】
画像の直交変換データを入力し、当該直交変換データの値を量子化および逆量子化する量子化逆量子化演算部と、
前記直交変換データに対し、前記量子化を行うための量子化パラメータに基づいて所定の判定を行い、前記量子化逆量子化演算部の出力がゼロ係数になるかを予測する結果予測部と、
前記結果予測部でゼロ係数になると予測された場合は、前記量子化逆量子化演算部に供給するクロックの周波数を低下させるクロック制御部と、
前記量子化逆量子化演算部の出力を選択して出力すると共に、前記結果予測部でゼロ係数になると予測された場合は、前記量子化逆量子化演算部の出力としてゼロ係数を出力する量子化逆量子化出力選択部を備えた画像符号化装置。
【発明の詳細な説明】
【技術分野】
【０００１】
この発明は、画像データを符号化する画像符号化装置に関するものである。
【背景技術】
【０００２】
従来、画像データを符号化する装置として、入力画像データの行方向の画像データに対して１次元ＤＣＴを行ってＤＣＴ係数を求め、更にこのＤＣＴ係数から列方向のＤＣＴ係数を抽出し、量子化を行うようにしたものがあった（例えば、特許文献１参照）。そして、このような装置では、列方向のＤＣＴ係数に基づいて後段側の量子化処理を省略するか否かを決定していた。
【０００３】
【特許文献１】特開２００３−３２４７３９号公報
【発明の開示】
【発明が解決しようとする課題】
【０００４】
しかしながら、上記従来の装置では、例えば、行データから列データを抽出するための手段や判定手段といった複雑な構成が必要であり、また、判定を行うために、行データがそれぞれの列に対応する分必要である等、その判定処理も複雑であるという課題があった。
【０００５】
この発明は上記のような課題を解決するためになされたもので、構成を簡素化し、かつ、量子化処理における低消費電力化を図ることのできる画像符号化装置を得ることを目的とする。
【課題を解決するための手段】
【０００６】
この発明に係る画像符号化装置は、画像の直交変換データに対して量子化パラメータに基づいて所定の判定を行い、量子化演算部の出力がゼロ係数になるかを予測する結果予測部と、結果予測部の予測結果がゼロ係数であった場合、量子化演算部に供給するクロックの周波数を低下させるクロック制御部と、結果予測部でゼロ係数の予測結果が出た場合は、量子化演算部の出力としてゼロ係数を出力する量子化出力選択部とを備えたものである。
【発明の効果】
【０００７】
この発明の画像符号化装置は、結果予測部で量子化演算部の出力がゼロ係数になると予測された場合は、量子化演算部へのクロック周波数を低下させるようにしたので、構成が簡素化され、かつ、量子化処理における低消費電力化を図ることができる。
【発明を実施するための最良の形態】
【０００８】
実施の形態１．
図１は、この発明の実施の形態１による画像符号化装置を示す構成図である。
図において、画像符号化装置は、ゼロ判定部１ａ、結果予測部２、クロック制御部３ａ、量子化演算部４、量子化出力選択部５、逆量子化演算部６、逆量子化出力選択部７からなる。尚、図１において、画像の符号化および復号に関する構成については、従来と同様であるため、その図示は省略している。
【０００９】
ゼロ判定部１ａは、入力データである画像のＤＣＴ係数を入力として、その入力がゼロ係数であるか否かを判別する機能部であり、その判別結果を、クロック制御部３ａ、量子化出力選択部５および逆量子化出力選択部７に与えるようになっている。結果予測部２は、ＤＣＴ係数に対し、量子化パラメータに基づいて所定の判定を行い、量子化演算部４の出力がゼロ係数になるかを予測する機能部である。クロック制御部３ａは、ゼロ判定部１ａがゼロ係数判定した場合、および、結果予測部２でゼロ係数になると予測された場合は、量子化演算部４および逆量子化演算部６のクロック周波数の制御を行う、即ち、クロック周波数を低下させるよう制御する機能を有している。尚、クロック周波数を低下させる制御として、実質的にクロックを停止させる制御も含むものとする。
【００１０】
量子化演算部４は、クロック制御部３ａの制御に基づいて、入力データであるＤＣＴ係数に対して量子化演算を行う機能部である。量子化出力選択部５は、量子化演算部４の出力を量子化変換係数として選択して出力すると共に、ゼロ判定部１ａにおけるゼロ判定または結果予測部２におけるゼロ予測信号が与えられた場合は、量子化変換係数としてゼロ係数を選択して出力する機能部である。逆量子化演算部６は、量子化パラメータに基づいて、量子化変換係数の逆量子化演算を行う機能部である。逆量子化出力選択部７は、逆量子化演算部６の逆量子化演算結果を選択して出力すると共に、ゼロ判定部１ａにおけるゼロ判定または結果予測部２におけるゼロ予測信号が与えられた場合は、逆量子化変換係数としてゼロ係数を選択して出力する機能部である。
【００１１】
次に、上記実施の形態１の動作について説明する。
先ず、入力されたＤＣＴ係数はゼロ判定部１ａによりその値がゼロ係数であるかどうかが判定され、ゼロ係数と判定された場合にはその結果がクロック制御部３ａ、量子化出力選択部５および逆量子化出力選択部７に伝達される。次に、ゼロ判定部１ａでＤＣＴ係数がゼロ係数と判別されなかった場合には、結果予測部２で量子化変換係数がゼロとなるかどうかの予測が行われ、ゼロ係数と予測された場合はその結果がクロック制御部３ａ、量子化出力選択部５および逆量子化出力選択部７に伝達される。尚、この予測動作については後述する。
【００１２】
ゼロ判定部１ａと結果予測部２の結果を受けたクロック制御部３ａは、量子化演算部４および逆量子化演算部６への動作クロック周波数を低下または停止させる。それ以外の場合には量子化演算部４および逆量子化演算部６で量子化演算および逆量子化演算がそれぞれ行われる。ゼロ判定部１ａまたは結果予測部２のゼロ判定またはゼロ予測によるクロック制御部３ａの動作クロック周波数の低下（または停止）処理が行われた場合、量子化演算部４および逆量子化演算部６の出力に代わって、量子化出力選択部５および逆量子化出力選択部７からそれぞれゼロ係数が選択して出力され、それ以外の場合には量子化変換係数、逆量子化結果がそれぞれ出力される。
【００１３】
以下に、結果予測部２での判定方法の一例を具体的に示す。
一般的にＭＰＥＧ２のイントラＡＣ、インターの時、量子化は以下の式で与えられる。
Ｙ＝｛１６ｄｉｎ／／ｑＭ＋ｓｉｇｎ（ｄｉｎ）×ｉｄｒｅｇ｝／ｑｓｃａｌｅ
／：    割り算後小数点以下切捨て
／／：    割り算後小数点以下四捨五入
ｑＭ：    量子化マトリクス値
ｑｓｃａｌｅ：  ｑｕａｎｔｉｚｅｒ＿ｓｃａｌｅ
ｓｉｇｎ（Ｘ）：  （ｘ＝０）  ０
（ｘ＞０）  １
（ｘ＜０）  −１  
ｉｄｒｅｇ：    丸め係数
【００１４】
本実施の形態では、イントラ構造の時に１ブロックに１画素存在するイントラＤＣ値を除く画素に対して以下の判別式を適用する。図２に示すように、ＤＣ値は１ブロック６４画素に対して１画素のみであり、イントラ構造の時のＤＣ値に対して判定動作を行わない影響は少ない。以下に判別式を示す。
【００１５】
｜３２ｄｉｎ｜＜ｑＭ  かつ      ｉｄｒｅｇ＜ｑｓｃａｌｅ
｜１６ｄｉｎ｜＜ｑＭ  かつ  １＋ｉｄｒｅｇ＜ｑｓｃａｌｅ
｜８ｄｉｎ｜＜ｑＭ    かつ  ２＋ｉｄｒｅｇ＜ｑｓｃａｌｅ
｜４ｄｉｎ｜＜ｑＭ    かつ  ４＋ｉｄｒｅｇ＜ｑｓｃａｌｅ
｜２ｄｉｎ｜＜ｑＭ    かつ  ８＋ｉｄｒｅｇ＜ｑｓｃａｌｅ
｜ｄｉｎ｜＜ｑＭ    かつ  １６＋ｉｄｒｅｇ＜ｑｓｃａｌｅ
【００１６】
上の判別式のいずれかを満たす場合に結果がゼロとなることを利用し、結果予測部２はゼロ予測結果を出力する。即ち、入力データｄｉｎと、量子化パラメータ（ｑＭ，ｉｄｒｅｇ，ｑｓｃａｌｅ）の値が、上記いずれかの判別式のような関係を満たす場合は量子化変換係数Ｙがゼロとなるため、このような関係を満たす場合は実際の量子化演算を行わなくてもゼロ予測することができる。
【００１７】
図３に、入力値となるＤＣＴ係数の例、図４に量子化マトリクスの例をそれぞれ示す。
先ず、図３および図４の１画素について上記判別式を適用し、判別式を用いた例を示す。
ここでｄｉｎ＝−３，ｑＭ＝３２，ｉｄｒｅｇ＝２，ｑｓｃａｌｅ＝６として計算を行う。
この場合、上記の判別式のなかで、
｜８×ｄｉｎ｜＝｜８×−３＝２４
となるため
｜８ｄｉｎ｜＜ｑＭ
が成り立つ。また、
２＋ｉｄｒｅｇ＝２＋２＝４
となるため
２＋ｉｄｒｅｇ＜ｑｓｃｑｌｅ
が成り立つ。
【００１８】
上記結果が成り立つことより、量子化変換係数はゼロとなることが予測できる。実際に量子化演算の式に従い計算すると以下のようにゼロとなり、予測が正しいことが確認できる。
【００１９】
Ｙ＝｛１６ｄｉｎ／／ｑＭ＋ｓｉｇｎ（ｄｉｎ）×ｉｄｒｅｇ｝／ｑｓｃａｌｅ
＝｛１６×（−３）／／３２＋（−１）×２｝／６
＝｛−４８／／３２−２｝／６
＝−４／６
＝０
【００２０】
図５は、図３，図４に示すような１ブロック６４画素を入力とした場合の予測結果の一例を示す説明図である。
ここでも、ｉｄｒｅｇ＝２，ｑｓｃａｌｅ＝６である。図５において、斜線の部分が量子化演算前に量子化変換係数がゼロとなることを予め予測することができたものである。斜線の部分については、クロック制御部３ａは、量子化演算部４および逆量子化演算部６のクロック周波数を低下（または停止）させる。
【００２１】
また、結果予測部２における予測演算で使用する量子化パラメータは、量子化演算部４および逆量子化演算部６への量子化パラメータに応じて、例えば、１ブロック６４画素毎に変化させるといったことが可能である。
【００２２】
以上のように、実施の形態１によれば、画像の直交変換データを入力し、その直交変換データの値を量子化する量子化演算部と、直交変換データに対し、量子化を行うための量子化パラメータに基づいて所定の判定を行い、量子化演算部の出力がゼロ係数になるかを予測する結果予測部と、結果予測部でゼロ係数となると予測された場合は、量子化演算部に供給するクロックの周波数を低下させるクロック制御部と、量子化演算部の出力を選択して出力すると共に、結果予測部でゼロ係数になると予測された場合は、量子化演算部の出力をゼロ係数として出力する量子化出力選択部を備えたので、構成を簡素化できると共に、無駄な電力消費を抑えることができる。
【００２３】
また、実施の形態１によれば、量子化演算部の出力を受けて、逆量子化演算を行う逆量子化演算部と、結果予測部でゼロ係数になると予測された場合は、逆量子化演算部に供給するクロックの周波数を低下させるクロック制御部と、逆量子化演算部の逆量子化結果を出力すると共に、結果予測部でゼロ係数になると予測された場合は、逆量子化結果としてゼロ係数を出力する逆量子化出力選択部とを備えたので、逆量子化演算においても低消費電力化を図ることができるため、画像符号化装置として更に低消費電力化を図ることができる。
【００２４】
また、実施の形態１によれば、直交変換データがゼロ係数か否かを判定するゼロ判定部を備え、クロック制御部は、ゼロ判定部がゼロ係数判定した場合は、クロックの周波数を低下させるようにしたので、入力データがゼロ係数である場合は、ゼロ係数を予測する処理を行う必要がなく、処理を高速化することができる。
【００２５】
実施の形態２．
図６は、この発明の実施の形態２による画像符号化装置を示す構成図である。
図において、画像符号化装置は、ゼロ判定部１ａ、結果予測部２、クロック制御部３ｂ、量子化演算部４、量子化出力選択部５、逆量子化演算部６、逆量子化出力選択部７ａ、量子化変換係数ゼロ判定部８、逆量子化クロック制御部９からなる。
【００２６】
実施の形態２では、量子化変換係数がゼロであった場合に逆量子化演算部６の演算を抑制するために、量子化変換係数ゼロ判定部８および逆量子化クロック制御部９を設けたものである。ここで、クロック制御部３ｂは、実施の形態１に比べて、量子化演算部４のクロック制御のみ行う点が異なっている。また、量子化変換係数ゼロ判定部８は、量子化出力選択部５から出力される量子化変換係数がゼロであることを判定する機能部であり、ゼロであった場合は、ゼロ判定結果を逆量子化クロック制御部９および逆量子化出力選択部７ａに出力するよう構成されている。
【００２７】
逆量子化クロック制御部９は、量子化変換係数ゼロ判定部８のゼロ判定結果が入力された場合は、逆量子化演算部６へのクロック周波数を低下させる機能を有している。逆量子化出力選択部７ａは、量子化変換係数ゼロ判定部８のゼロ判定結果が入力された場合は、逆量子化結果としてゼロを選択して出力するよう構成されている。これらの構成以外の構成は実施の形態１と同様であるため、対応する部分に同一符号を付してその説明を省略する。
【００２８】
次に、実施の形態２の動作について説明する。
先ず、量子化出力選択部５までの動作は実施の形態１と同様であるため、これ以降の動作を説明する。
量子化出力選択部５により出力された量子化変換係数は、量子化変換係数ゼロ判定部８によってその値がゼロ係数であるかどうかを判定される。量子化変換係数ゼロ判定部８でゼロ係数と判定された場合にはその結果が逆量子化クロック制御部９および逆量子化出力選択部７ａに伝達される。逆量子化クロック制御部９は、量子化変換係数ゼロ判定部８からのゼロ判定結果を受けた場合、逆量子化演算部６の動作クロック周波数を低下または停止させる。
【００２９】
図７は、実施の形態２における処理結果の説明図であり、図３，図４に示すような１ブロック６４画素を入力とした場合説明図である。
ここでも、量子化パラメータとして、ｉｄｒｅｇ＝２，ｑｓｃａｌｅ＝６とする。斜線の部分は量子化変換係数がゼロ係数となることを予め予測できたものであり、塗りつぶした部分はゼロ係数となることが予測し損ない量子化演算を行った結果、ゼロ係数となったものである。逆量子化クロック制御部９では、斜線の部分と塗りつぶしの部分でクロック周波数を制御することができる。
【００３０】
以上のように、実施の形態２によれば、量子化演算部の出力を受けて、逆量子化演算を行う逆量子化演算部と、量子化演算部の出力がゼロ係数の場合は、逆量子化演算部に供給するクロックの周波数を低下させる逆量子化クロック制御部とを備えたので、結果予測部においてゼロ係数となることを予測し損なった場合にも逆量子化演算部のクロック周波数の低下させる制御を行うことが可能であり、更に無駄な電力消費を抑えることができる。
【００３１】
実施の形態３．
図８は、この発明の実施の形態３による画像符号化装置を示す構成図である。
図において、画像符号化装置は、ゼロ判定部１ｂ、結果予測部２、クロック制御部３ａ、量子化演算部４、量子化出力選択部５、逆量子化演算部６、逆量子化出力選択部７、量子化変換係数保持部１０からなる。
【００３２】
実施の形態３では、量子化変換係数を保持する量子化変換係数保持部１０を設け、この量子化変換係数保持部１０に保持された量子化変換係数に対して、ＤＣＴ係数のゼロ係数判定を行うゼロ判定部１ｂでそのゼロ係数判定を行うようにしたものである。即ち、ゼロ判定部１ｂは、実施の形態１、２のゼロ判定部１ａと同様に、入力データであるＤＣＴ係数のゼロ係数判定を行うと共に、量子化変換係数保持部１０に保持された量子化変換係数のゼロ係数判定を行うよう構成されている。量子化変換係数保持部１０は、量子化出力選択部５における１ブロック（６４画素）分の量子化変換係数を保持するメモリであり、その保持データがゼロ判定部１ｂに入力するよう構成されている。他の各構成は実施の形態１と同様であるため、対応する部分に同一符号を付してその説明を省略する。
【００３３】
次に、実施の形態３の動作について説明する。
先ず、量子化変換係数を得る迄の動作は実施の形態１と同様であるため、ここでの説明は省略し、量子化変換係数出力後の動作について説明する。
【００３４】
量子化出力選択部５より出力された量子化変換係数は、一旦量子化変換係数保持部１０に格納される。即ち、１ブロック６４画素分の量子化変換係数が量子化変換係数保持部１０に格納される。量子化演算の終了後に逆量子化演算が開始され、量子化変換係数保持部１０から取り出した量子化変換係数はゼロ判定部１ｂによりその値がゼロ係数であるかどうかを判定され、ゼロ係数と判定された場合にはその結果がクロック制御部３ａに伝達される。
【００３５】
以上のように、実施の形態３によれば、量子化演算部が出力する量子化変換係数を保持する量子化変換係数保持部と、量子化演算部の出力を受けて、逆量子化演算を行う逆量子化演算部と、量子化変換係数保持部に保持された量子化変換係数がゼロの場合は、逆量子化演算部に供給するクロックの周波数を低下させるクロック制御部とを備えたので、結果予測部においてゼロ係数となることを予測し損なった場合でも逆量子化演算部のクロック周波数の低下させる制御を行うことが可能であり、無駄な電力消費を抑えることができる。また、逆量子化演算部に対するクロック制御のための量子化変換係数ゼロ判定部や逆量子化クロック制御部といった構成が不要であるという効果がある。
【００３６】
実施の形態４．
図９は、この発明の実施の形態４による画像符号化装置を示す構成図である。
図において、画像符号化装置は、ゼロ判定部１ｂ、結果予測部２、クロック制御部３ｃ、量子化逆量子化出力選択部５ａ、量子化変換係数保持部１０、量子化逆量子化演算部１１からなる。
【００３７】
実施の形態４では、量子化と逆量子化を行う量子化逆量子化演算部１１を有する画像符号化装置に対してもゼロ係数予測を行うようにしたものである。即ち、量子化逆量子化演算部１１は、クロック制御部３ｃによって制御され、入力データであるＤＣＴ係数の量子化を行うと共に、量子化変換係数保持部１０に一旦保持された量子化変換係数の逆量子化を行う機能を有している。クロック制御部３ｃは、ゼロ判定部１ｂにおけるゼロ係数判定結果または結果予測部２によるゼロ係数予測結果に基づいて、量子化逆量子化演算部１１のクロック周波数を低下させる制御を行う機能部である。
【００３８】
また、量子化逆量子化出力選択部５ａは、量子化逆量子化演算部１１の量子化変換係数と逆量子化変換係数を出力すると共に、ゼロ判定部１ｂによるゼロ係数判定結果または結果予測部２によるゼロ係数予測結果が出力された場合は、量子化変換係数とおよび逆量子化変換係数をゼロ係数と出力する機能を有している。また、量子化変換係数保持部１０は、量子化逆量子化出力選択部５ａの１ブロック分の量子化変換係数を保持するメモリである。
【００３９】
次に、実施の形態４の動作について説明する。
ゼロ判定部１ｂと結果予測部２の結果を受けたクロック制御部３ａにより量子化逆量子化演算部１１の動作クロック周波数の低下または停止が図られる。それ以外の場合には量子化逆量子化演算部１１で量子化演算および逆量子化演算が行われる。即ち、量子化逆量子化演算部１１で量子化演算が行われると、量子化変換係数は量子化逆量子化出力選択部５ａを経て、量子化変換係数保持部１０に保持される。そして、１ブロック６４画素の画素データの量子化演算が行われると、量子化変換係数保持部１０に保持された量子化変換係数に対して、ゼロ判定部１ｂでゼロ係数判定が行われると共に、量子化逆量子化演算部１１において逆量子化演算が行われる。
【００４０】
以上のように、実施の形態４によれば、画像の直交変換データを入力し、その直交変換データの値を量子化および逆量子化する量子化逆量子化演算部と、直交変換データに対し、量子化を行うための量子化パラメータに基づいて所定の判定を行い、量子化逆量子化演算部の出力がゼロ係数になるかを予測する結果予測部と、結果予測部でゼロ係数になると予測された場合は、量子化逆量子化演算部に供給するクロックの周波数を低下させるクロック制御部と、量子化逆量子化演算部の出力を選択して出力すると共に、結果予測部でゼロ係数になると予測された場合は、量子化逆量子化演算部の出力としてゼロ係数を出力する量子化逆量子化出力選択部を備えたので、量子化演算、逆量子化演算で回路を共有することで回路規模の増大を抑えることが可能となり、かつ、量子化逆量子化演算部の動作クロック周波数の低下または停止を図ることにより無駄な電力消費を抑えることができる。
【００４１】
尚、上記各実施の形態では、入力データはＤＣＴ係数であるとしたが、これに限定されるものではなく、画像の直交変換データであれば、同様に適用可能である。
【図面の簡単な説明】
【００４２】
【図１】この発明の実施の形態１による画像符号化装置を示す構成図である。
【図２】１ブロック６４画素におけるＤＣ値の説明図である。
【図３】この発明の実施の形態１におけるＤＣＴ係数の一例を示す説明図である。
【図４】この発明の実施の形態１における量子化マトリクスの一例を示す説明図である。
【図５】この発明の実施の形態１における予測結果の一例を示す説明図である。
【図６】この発明の実施の形態２による画像符号化装置を示す構成図である。
【図７】この発明の実施の形態２における処理結果の説明図である。
【図８】この発明の実施の形態３による画像符号化装置を示す構成図である。
【図９】この発明の実施の形態４による画像符号化装置を示す構成図である。
【符号の説明】
【００４３】
１ａ，１ｂ  ゼロ判定部、２  結果予測部、３ａ，３ｂ，３ｃ  クロック制御部、４  量子化演算部、５  量子化出力選択部、５ａ  量子化逆量子化出力選択部、６  逆量子化演算部、７，７ａ  逆量子化出力選択部、８  量子化変換係数ゼロ判定部、９  逆量子化クロック制御部、１０  量子化変換係数保持部、１１  量子化逆量子化演算部。
【図１】
2006014207.tif 000003
【図２】
2006014207.tif 000004
【図３】
2006014207.tif 000005
【図４】
2006014207.tif 000006
【図５】
2006014207.tif 000007
【図６】
2006014207.tif 000008
【図７】
2006014207.tif 000009
【図８】
2006014207.tif 000010
【図９】
2006014207.tif 000011